(57)【要約】【課題】  点灯や照射に支障を来たすことなく、外部へ十分な音を出力することが可能な照明具を提供する。【解決手段】  本体１０１の一方側には透光性カバー１０３を有し、前記透光性カバー１０３の内方で発光する発光モジュール１０２と、前記本体１０１の他方側に口金１０５を備えたＬＥＤランプ１００であって、前記本体１０１には、電源ユニット１０７、無線通信ユニット１０８、信号増幅ユニット１０９、制御ユニット１１０、および振動スピーカー１１１を有し、前記振動スピーカー１１１から出力される振動を前記透光性カバー１０３に伝達するボス１０４を前記透光性カバー１０３と一体に形成した。【選択図】図４
2013222566.tif 000002
【特許請求の範囲】
【請求項１】
本体と、前記本体の一方側に有する透光性カバーと、前記透光性カバーの内方で発光する光源と、前記本体の他方側に有する電源接続部と、を備えた照明具であって、前記本体には、電源ユニットと、無線通信ユニットと、信号増幅ユニットと、制御ユニットと、音信号出力ユニットと、を有し、前記音信号出力ユニットから出力される振動を前記透光性カバーに伝達する信号伝達手段を設けたことを特徴とする照明具。
【請求項２】
前記本体と前記透光性カバーの間に間隙を設けたことを特徴とする請求項１に記載の照明具。
【請求項３】
本体と、前記本体の一方側において透光性カバーと前記透光性カバーの内方で発光する光源を有する照光部と、前記本体の他方側に有する電源接続部と、を備えた照明具であって、前記本体には、電源ユニットと、無線通信ユニットと、信号増幅ユニットと、制御ユニットと、音信号出力ユニットと、を有し、前記本体と前記照光部の間には防振部材を介して音出力部材を設け、前記音信号出力ユニットから出力される振動を前記音出力部材に伝達する信号伝達手段を設けたことを特徴とする照明具。
【請求項４】
前記信号伝達手段を前記透光性カバーまたは前記音出力部材と一体に形成したことを特徴とする請求項１乃至請求項３の何れか１項に記載の照明具。
【請求項５】
前記振動伝達手段を弾性部材とし、前記透光性カバーまたは前記音出力部材と前記音信号出力ユニットの間に介在したことを特徴とする請求項１乃至請求項３の何れか１項に記載の照明具。
【請求項６】
前記電源接続部の近傍には、対向する被取付側接続部へ取着した後の外れを防止する外れ防止手段を設けたことを特徴とする請求項１乃至請求項５の何れか１項に記載の照明具。
【請求項７】
前記音信号出力ユニットを振動スピーカーとし、前記信号伝達手段を介して前記透光性カバーまたは前記音出力部材から音を出力することを特徴とする請求項１乃至請求項６の何れか１項に記載の照明具。
【請求項８】
前記光源は複数色の発光を可能とし、無線通信ユニットから受信する音信号、または前記音信号に付随する付加信号、或いは音量信号、若しくは前記音信号と前記付加信号と前記音量信号の何れか２乃至３の信号の組み合わせに応じて前記光源の発光色を変更可能としたことを特徴とする請求項１乃至請求項７の何れか１項に記載の照明具。
【請求項９】
前記無線通信ユニットは本体に対して着脱可能としたことを特徴とする請求項１乃至請求項８の何れか１項に記載の照明具。
【請求項１０】
前記本体には、さらに記憶媒体装着部を設け、前記記憶媒体装着部に装着された記憶媒体の情報を出力可能としたことを特徴とする請求項１乃至請求項８の何れか１項に記載の照明具。
【請求項１１】
前記本体には、さらに緊急警報信号を受信する受信ユニットを備え、前記受信ユニットによって緊急警報信号を受信した場合の光源の発光パターンを設けたことを特徴とする請求項１乃至請求項１０の何れか１項に記載の照明具。
【発明の詳細な説明】
【技術分野】
【０００１】
本発明は、例えば光源としてＬＥＤやＥＬ等の発光素子を用いた照明具に関し、より詳しくは、付加価値として照明効果を妨げる事なく、音出力機能を備えた照明具に関する。
【背景技術】
【０００２】
近年、光源としてＬＥＤ（Ｌｉｇｈｔ  Ｅｍｉｔｔｉｎｇ  Ｄｉｏｄｅ）やＥＬ（Ｅｌｅｃｔｒｏ  Ｌｕｍｉｎｅｓｃｅｎｃｅ）等の発光素子を使用した照明具が、フィラメントを光源とする照明具等に比べ消費電力が少ない製品として普及している。例えば、電球型のＬＥＤランプを例に詳述すれば、フィラメントを光源とする白熱電球と同じ口金を備え、前記白熱電球のときと同じソケットに取り付けられる構造としている。
【０００３】
そして、前記ＬＥＤやＥＬ等の発光素子を用いた照明具に付加価値を与え、利便性を高める技術として、例えば特許文献１が公知として開示されている。
【０００４】
【特許文献１】特開２０１１−２０４６３７号公報
【発明の開示】
【発明が解決しようとする課題】
【０００５】
特許文献１には、ＬＥＤやＥＬ等の発光素子を用いたＬＥＤランプにセンサを内蔵した構成が記載されている。前記構成によれば、センサとランプを一体化することで、自動点灯照明を容易に導入することが可能となる。又、前記センサにより危険を検知してブザーまたはスピーカーにより報知することも可能である。
【０００６】
しかし、特許文献１の構成であれば、外部の状態をセンサによって検知できるよう、また、スピーカーから出力される音が使用者に聞こえるように前記ランプを構成するカバーに穴を設ける必要がある。その結果、照明具として本来の機能である点灯や照射に支障を来たすことが懸念される。また、前記カバーに穴を設けず実現しようとすれば、ブザーやスピーカーから出力される音が十分に聞こえずに十分な機能を果たせない虞がある。
【０００７】
本発明は上述した点に鑑みてなされたものであって、点灯や照射に支障を来たすことなく、外部へ十分な音を出力することが可能な照明具を提供することにある。また、本発明の他の目的として、前記照明具を音響機器で使用されるスピーカーの代用とすることが可能な照明具を提供することにある。
【課題を解決するための手段】
【０００８】
請求項１に係る照明具は、本体と、前記本体の一方側に有する透光性カバーと、前記透光性カバーの内方で発光する光源と、前記本体の他方側に有する電源接続部と、を備えた照明具であって、前記本体には、電源ユニットと、無線通信ユニットと、信号増幅ユニットと、制御ユニットと、音信号出力ユニットと、を有し、前記音信号出力ユニットから出力される振動を前記透光性カバーに伝達する信号伝達手段を設けたことを特徴としている。
【０００９】
請求項２に係る照明具は、請求項１に記載の照明具であって、前記本体と前記透光性カバーの間に間隙を設けたことを特徴としている。
【００１０】
請求項３に係る照明具は、本体と、前記本体の一方側において透光性カバーと前記透光性カバーの内方で発光する光源を有する照光部と、前記本体の他方側に有する電源接続部と、を備えた照明具であって、前記本体には、電源ユニットと、無線通信ユニットと、信号増幅ユニットと、制御ユニットと、音信号出力ユニットと、を有し、前記本体と前記照光部の間には防振部材を介して音出力部材を設け、前記音信号出力ユニットから出力される振動を前記音出力部材に伝達する信号伝達手段を設けたことを特徴としている。
【００１１】
請求項４に係る照明具は、請求項１乃至請求項３の何れか１項に記載の照明具であって、前記信号伝達手段を前記透光性カバーまたは前記音出力部材と一体に形成したことを特徴としている。
【００１２】
請求項５に係る照明具は、請求項１乃至請求項３の何れか１項に記載の照明具であって、前記振動伝達手段を弾性部材とし、前記透光性カバーまたは前記音出力部材と前記音信号出力ユニットの間に介在したことを特徴としている。
【００１３】
請求項６に係る照明具は、請求項１乃至請求項５の何れか１項に記載の照明具であって、前記電源接続部の近傍には、対向する被取付側接続部へ取着した後の外れを防止する外れ防止手段を設けたことを特徴としている。
【００１４】
請求項７に係る照明具は、請求項１乃至請求項６の何れか１項に記載の照明具であって、前記音信号出力ユニットを振動スピーカーとし、前記信号伝達手段を介して前記透光性カバーまたは前記音出力部材から音を出力することを特徴としている。
【００１５】
請求項８に係る照明具は、請求項１乃至請求項７の何れか１項に記載の照明具であって、前記光源は複数色の発光を可能とし、無線通信ユニットから受信する音信号、または前記音信号に付随する付加信号、或いは音量信号、若しくは前記音信号と前記付加信号と前記音量信号の何れか２乃至３の信号の組み合わせに応じて前記光源の発光色を変更可能としたことを特徴としている。
【００１６】
請求項９に係る照明具は、請求項１乃至請求項８の何れか１項に記載の照明具であって、前記無線通信ユニットは本体に対して着脱可能としたことを特徴としている。
【００１７】
請求項１０に係る照明具は、請求項１乃至請求項８の何れか１項に記載の照明具であって、前記本体には、さらに記憶媒体装着部を設け、前記記憶媒体装着部に装着された記憶媒体の情報を出力可能としたことを特徴としている。
【００１８】
請求項１１に係る照明具は、請求項１乃至請求項１０の何れか１項に記載の照明具であって、前記本体には、さらに緊急警報信号を受信する受信ユニットを備え、前記受信ユニットによって緊急警報信号を受信した場合の光源の発光パターンを設けたことを特徴としている。
【発明の効果】
【００１９】
以上のような本発明の照明具によれば、透光性カバー全体をスピーカーの代用としているため、前記透光性カバーに穴を設けることなく外部へ十分な音を出力することが可能となるため、照明具本来の機能となる点灯や照射を損なうことなく、音出力という付加価値を備えることが出来る。また、前記照明具には無線通信ユニットを内蔵するため、外部音響機器から信号を受信して前記照明具をスピーカーの代用として使用することが可能となる。
【図面の簡単な説明】
【００２０】
【図１】本発明の第１の実施例における照明具の使用例を示すイメージ図。
【図２】本発明の第１の実施例における照明具の外観を示す概略図。
【図３】本発明の第１の実施例における照明具を示すブロック図。
【図４】本発明の第１の実施例における照明具を示す概略透視図。
【図５】本発明の第１の実施例における被取付側接続部に取着した照明具を示す概略図。
【図６】本発明の第２の実施例における照明具を示す概略斜視図。
【図７】本発明の第２の実施例における照明具を示す概略透視図。
【図８】本発明の第３の実施例における照明具を示す概略透視図。
【図９】本発明の第４の実施例における照明具を示す概略透視図。
【図１０】本発明の第５の実施例における照明具を示す概略図。
【図１１】本発明の第６の実施例における照明具を示す概略図。
【図１２】本発明の第７の実施例における照明具を示す概略透視図。
【発明を実施するための形態】
【００２１】
以下、本発明を実施するための最良の形態としての実施例を図１〜図１２を用いて以下に説明する。なお、本発明はその主旨に反しない範囲で、実施例において説明した構成以外のものに対しても容易に適用可能である。
【実施例１】
【００２２】
図１は本発明の第１の実施例における照明具の使用例を示すイメージ図、図２は本発明の第１の実施例における照明具の外観を示す概略図、図３は本発明の第１の実施例における照明具を示すブロック図である。同図で示すように、本発明の第１の実施例では、照明具として光源となる複数のＬＥＤを配設した発光モジュールを使用する電球型のＬＥＤランプを例としている。ここで、本発明の第１の実施例として示すＬＥＤランプ１００について詳述すると、本体１０１の下方側に発光モジュール１０２を覆うように透光性カバー１０３を取り付けており、前記本体１０１の上方側には、例えば天井側に設けられたソケット２００に取着するための電源接続部たる口金１０５が備えられている。なお、本実施例のＬＥＤランプ１００は、前記本体１０１を放熱性の高いアルミニウム等の金属材料によって形成しており、前記透光性カバー１０３をポリカーボネート等の樹脂材料によって形成している。
【００２３】
前記ＬＥＤランプ１００の本体１０１には、電源ユニット１０７、無線通信ユニット１０８、信号増幅ユニット１０９、制御ユニット１１０、および音信号出力ユニット１１１が内蔵されている。そして、前記透光性カバー１０３の内面側には、前記本体１０１に向かって延出する信号伝達手段となるボス１０４が一体に形成されており、前記ボス１０４の先端は前記音信号出力ユニット１１１に当接している。すなわち、本実施例で示すＬＥＤランプ１００は、ソケット２００から口金１０５を介して供給される電力によって発光モジュール１０２を発光させて照射する照明具としての本来の機能に加え、外部音響機器から送信される音信号を無線通信ユニット１０８によって受信し、前記無線通信ユニット１０８で受信した信号に基づいて音信号出力ユニット１１１からボス１０４を介して透光カバー１０３より音を出力する機能を備えている。
【００２４】
ここで、本体１０１に内蔵する各ユニットの役割について詳述する。電源ユニット１０７は、ソケット２００から口金１０５を介して供給された電力をよって発光モジュール１０２を発光させる、或いは音信号出力ユニット１１１から音を出力するための各ユニットを駆動するために用いる。
【００２５】
無線通信ユニット１０８は、外部音響機器３００から送信される信号をケーブル等による接続を行わずに無線通信を行うために用いており、無線通信に関する規格に準拠し、前記本体１０１に内蔵されている。
【００２６】
信号増幅ユニット１０９は、前記無線通信ユニット１０８が外部音響機器３００から受信した信号を、より大きな信号に変換するために用いる。本実施例では、外部音響機器３００から受信した音信号を、同じく前記外部音響機器３００から受信した音量信号に基づいて、前記信号増幅ユニット１０９によって元の信号よりも大きな信号に変換している。
【００２７】
制御ユニット１１０は、ＬＥＤランプ１００に内蔵された各ユニットの制御のために用いる。例えば、外部音響機器３００から送信される信号を受信できるように無線通信ユニット１０８を受信可能な状態としたり、或いは前記無線通信ユニット１０８で受信した信号に応じて発光モジュール１０２の発光色を変更する、等の制御を行う。
【００２８】
音信号出力ユニット１１１は、無線通信ユニット１０８によって外部音響機器３００から送信される信号を受信し、信号増幅ユニット１０９によって増幅された信号に基づき、音信号を出力するために用いる。本実施例では音信号出力ユニット１１１として振動スピーカーを用いている（以下、振動スピーカー１１１と称す）。
【００２９】
図４は本発明の第１の実施例における照明具を示す概略透視図である。同図で示すように、透光性カバー１０３には本体１０１に内蔵された振動スピーカー１１１に向かって延出するボス１０４が一体に形成されている。前記ボス１０４は前記透光性カバー１０３と同じくポリカーボネート等の樹脂材料によって形成されており、前記ボス１０４の先端部分は前記振動スピーカー１１１に当接した状態となっている。その結果、前記振動スピーカー１１１から出力される振動は前記ボス１０４を介して前記透光性カバー１０３に伝達され、前記透光性カバー１０３がスピーカーの代用として音を出力する。
【００３０】
以上の構成により、本実施例のＬＥＤランプ１００は照明としての機能に加え、次の手順で音を出力する機能を有する。すなわち、
（１）外部音響機器３００から送信された信号を無線通信ユニット１０８により受信する。
（２）無線通信ユニット１０８で受信した信号のうち、音信号を音量信号に基づいて信号増幅ユニット１０９により増幅する。
（３）増幅された音信号を振動スピーカー（音信号出力ユニット）１１１より出力する。
（４）出力された音信号は、振動となってボス（信号伝達手段）１０４を介して透光性カバー１０３に伝達され、前記透光性カバー１０３がスピーカーの代用となってＬＥＤランプ１００の外部に音を出力する。
となる。
【００３１】
なお、前記発光モジュール１０２を複数色の発光が可能なものとし、外部音響機器３００より送信される信号に基づいて発光色を変化させても良い。すなわち、前記外部音響機器３００から無線通信ユニット１０８が受信する信号として、音信号と音量信号の他に前記音信号に付随する付加信号があり、前記信号の単数若しくは複数の組み合わせによって発光モジュール１０２の発光色を変化させるよう制御ユニット１１０によって制御することが可能である。前記付加信号について一例を述べれば、外部音響機器３００から送信される音信号が音楽であるならば、その曲を歌っている歌手の情報や曲のタイトルが該当する。また、外部音響機器３００より送信される信号に関係なく、ＬＥＤランプ１００に予め複数の発光パターンを記憶しておき、送信機を用いて使用者が容易に発光パターンを変更できるようにしても良い。この場合、発光パターンを予め記憶するための記憶部と送信機から送信される信号を受信する受信部をＬＥＤランプ１００に設ける必要がある。さらに、前記発光モジュール１０２の発光色を変更させる方法として、複数色の変更が可能なＬＥＤを配設したり、或いは発光色の異なるＬＥＤを配設することが考えられるが、これらは本発明の主旨に反しない範囲で適宜選定可能であることを言及する。
【００３２】
つぎに、被取付側接続部へ取着した照明具が振動によって外れるのを防止する手段について説明する。周囲を明るく灯す照明としての機能のみであれば照明具が被取付側接続部から外れることはほとんど考えられないが、音を出力する機能を兼ねている本実施例の場合、振動によって被取付側接続部から照明具が外れる危険性が懸念される。そこで、本発明の第１の本実施例では被取付側接続部たるソケット２００に取着した口金１０５が緩んで外れるのを防止するための外れ防止手段１１２を備えている。
【００３３】
図５は本発明の第１の実施例における被取付側接続部に取着した照明具を示す概略図である。同図で示すように、口金１０５の外周にはネジ状の凸部１０６が形成されており、対向するソケット２００には前記凸部１０６が螺合する凹部２０１が形成されている。そして、前記口金１０５を前記ソケット２００へ螺入して前記ＬＥＤランプ１００を取着したときに変形する弾性部材を外れ防止手段１１２として前記口金１０５の近傍に設けている（以下、弾性部材１１２と称す）。
【００３４】
前記弾性部材１１２として、例えば厚みを有し、且つＬＥＤランプ１００と対向するソケット２００側に環状の突起が形成されたゴムワッシャーを用い、前記ソケット２００に前記ＬＥＤランプ１００を取着するならば、前記口金１０５の螺入方向と反対の方向へ反発力を発生させるとともに、前記ソケット２００と前記ゴムワッシャーの接触部分において摩擦抵抗を発生させるため、前記口金１０５の緩みを抑えることが出来、前記ソケット２００に取着された前記ＬＥＤランプ１００の外れを防止することが可能となる。
【００３５】
なお、本実施例では外れ防止手段としてゴムワッシャー（弾性部材１１２）を用いた内容について説明したが、本発明は前述の構造に限定するものではなく、例えばゴムワッシャーの代わりにコイルススプリングを用いても良い。また、他の外れ防止手段として、例えばソケット２００の凹部２０１に螺合する口金１０５の凸部１０６に緩み止め剤を塗布したり、或いはソケット２００に取着したＬＥＤランプ１００を機械的に固定する部材を設けても良く、本発明の主旨の範囲内で適宜選定可能である。
【実施例２】
【００３６】
つぎに、本発明の第２の実施例について説明する。なお、前記第１の実施例と同様の構成については同一の符号を付して説明を続ける。図６は本発明の第２の実施例における照明具を示す概略斜視図、図７は本発明の第２の実施例における照明具を示す概略透視図である。同図で示すように、本発明の第２の実施例では、ＬＥＤランプ１００の本体１０１と透光性カバー１０３の間に間隙１２１を設けて取り付けられている。また、前記透光性カバー１０３の内面側には弾性部材１２０を介して振動スピーカー１１１が取り付けられており、これらの内容が前記第１の実施例と異なる。
【００３７】
前記弾性部材１２０として、例えば透光性カバー１０３および振動スピーカー１１１と夫々当接する面に接着剤が塗布されたクッション材を用い、前記クッション材の一方の面を前記透光性カバー１０３に貼着し、他方の面に前記振動スピーカー１１１を貼着して取り付けるようにしても良い。
【００３８】
そして、本発明の第２の実施例によれば、振動スピーカー１１１から出力される振動は前記クッション材（弾性部材１２０）を介して透光性カバー１０３に伝達され、前記透光性カバー１０３がスピーカーの代用としてＬＥＤランプ１００の外部に音を出力することが可能となる。また、本体１０１と前記透光性カバー１０３の間に間隙１２１を設けることによって、前記透光性カバー１０３から出力される音をより鮮明に響かせることが出来る。なお、前記本体１０１と前記透光性カバー１０３の間に間隙１２１を設ける手段については特に限定しないが、本発明の第２の実施例では、前記透光性カバー１０３に周方向に間隔を空けて複数の突起部を形成し、前記本体１０１には前記突起部が嵌合する嵌合部を設けて間隙１２１を設けた状態で固定可能な構造としている。
【実施例３】
【００３９】
つぎに、本発明の第３の実施例について説明する。なお、先の実施例と同様の構成については同一の符号を付して説明を続ける。図８は本発明の第３の実施例における照明具を示す概略透視図である。同図で示すように、本発明の第３の実施例では、透光性カバー１０３の内方に発光モジュール１０２を有する照光部１１８を設け、電源ユニット１０７、無線通信ユニット１０８、信号増幅ユニット１０９、制御ユニット１１０、および振動スピーカー１１１を有する本体１０１と前記照光部１１８は連結しており、前記本体１０１と前記照光部１１８の間に防振部材１１７を介して音出力部材１１９を設けた構成としている。そして、前記音出力部材１１９から前記本体１０１に向かって延出するボス１０４が一体に形成されており、前記ボス１０４の先端が前記振動スピーカー１１１に当接している内容が前記第１の実施例と異なる。
【００４０】
そして、本発明の第３の実施例によれば、振動スピーカー１１１から出力される振動は前記ボス１０４を介して音出力部材１１９に伝達され、前記音出力部材１１９がスピーカーの代用としてＬＥＤランプ１００の外部に音を出力することが可能となる。なお、本体１０１および照光部１１８の間に防振部材１１７を介在することで、前記音出力部材１１９から出力される音が振動となって前記本体１０１および前記照光部１１８に伝達するのを抑えることが出来、振動による照射箇所のブレを軽減することが可能となる。また、第１の実施例および第２の実施例で示すように、透光性カバー１０３と一体にボス１０４を形成する必要が無いため、例えば発光モジュール１０２の配設箇所や配設方法の自由度向上に繋がる。ところで、本発明の第３の実施例では信号伝達手段を音出力部材１１９と一体に形成したボス１０４としているが、例えば本発明の第２の実施例で詳述したように、前記ボス１０４の代わりにクッション材（弾性部材１２０）を用いても良く、本発明の主旨の範囲内で適宜選定可能であることを言及する。
【実施例４】
【００４１】
つぎに、本発明の第４の実施例について説明する。なお、先の実施例と同様の構成については同一の符号を付して説明を続ける。図９は本発明の第４の実施例における照明具を示す概略透視図である。同図で示すように、本発明の第４の実施例では、照明具として光源となる複数のＬＥＤを配設した発光モジュールを使用するシーリングライトを例としている。そして、本実施例で示すシーリングライト４００の構成については第３の実施例と類似しており、詳述すれば、透光性カバー４０３の内方に発光モジュール４０２を有する照光部４０８を設け、電源ユニット１０７、無線通信ユニット１０８、信号増幅ユニット１０９、制御ユニット１１０、および振動スピーカー１１１を有する本体４０１と前記照光部４０８は連結しており、前記本体４０１と前記照光部４０８の間に防振部材４０７を介して音出力部材４０６を設けた構成としている。そして、前記音出力部材４０６から前記本体４０１に向かって延出するボス４０４が一体に形成されており、前記ボス４０４の先端が前記振動スピーカー１１１に当接している。なお、第３の実施例ではソケット２００に取着する口金１０５を有するのに対し、第４の実施例では天井側接続部５００に取着する電源接続部４０５を有する点について構造が異なる。
【００４２】
そして、本発明の第４の実施例によれば、振動スピーカー１１１から出力される振動は前記ボス４０４を介して音出力部材４０６に伝達され、前記音出力部材４０６がスピーカーの代用としてシーリングライト４００の外部に音を出力することが可能となる。なお、本体４０１および照光部４０８の間に防振部材４０７を介在することで、前記音出力部材４０６から出力される音が振動となって前記本体４０１および前記照光部４０８に伝達するのを抑えることが出来、振動による照射箇所のブレを軽減することが可能となる。
【実施例５】
【００４３】
つぎに、本発明の第５の実施例について説明する。なお、先の実施例と同様の構成については同一の符号を付して説明を続ける。図１０は本発明の第５の実施例における照明具を示す概略図である。同図で示すように、本発明の第５の実施例では、照明具として光源となる複数のＬＥＤを配設した発光モジュールを使用するＬＥＤランプを例としており、本体１０１に開口部１１３を設け、前記開口部１１３よりコネクタ１１４が露出している。そして、前記コネクタ１１４に対して無線通信ユニット１０８を着脱可能とした内容が先の実施例と異なる。
【００４４】
そして、本発明の第５の実施例によれば、前記コネクタ１１４に前記無線通信ユニット１０８に装着した状態であれば、前記第１の実施例と同じく外部音響機器３００から信号を受信して透光性カバー１０３から音を出力することが可能であり、例えば、前記無線通信ユニット１０８の代わりに音楽データが記憶された媒体を装着することで、前記媒体に記憶された音楽データを前記透光性カバー１０３から音として出力することが可能となる。なお、前記媒体としては、例えばＵＳＢ（Ｕｎｉｖｅｒｓａｌ  Ｓｅｒｉａｌ  Ｂｕｓ）メモリー等がある。
【実施例６】
【００４５】
つぎに、本発明の第６の実施例について説明する。なお、先の実施例と同様の構成については同一の符号を付して説明を続ける。図１１は本発明の第６の実施例における照明具を示す概略図である。本発明の第６の実施例では、照明具として光源となる複数のＬＥＤを配設した発光モジュールを使用するＬＥＤランプを例としており、本体１０１に媒体の挿抜が可能な記憶媒体装着部１１５を設けた内容が先の実施例と異なる。
【００４６】
そして、本発明の第６の実施例によれば、前記第１の実施例と同じく外部音響機器３００から信号を受信して透光性カバー１０３から音を出力することを可能とし、且つ、記憶媒体装着部１１５に媒体を挿入することで前記媒体に記憶された音楽データを前記透光性カバー１０３から音として出力することが可能となる。なお、前記媒体としては、例えばＵＳＢ（Ｕｎｉｖｅｒｓａｌ  Ｓｅｒｉａｌ  Ｂｕｓ）メモリー、若しくはＳＤメモリーカード等がある。
【実施例７】
【００４７】
つぎに、本発明の第７の実施例について説明する。なお、先の実施例と同様の構成については同一の符号を付して説明を続ける。図１２は本発明の第７の実施例における照明具を示す概略透視図である。本発明の第７の実施例では、照明具として光源となる複数のＬＥＤを配設した発光モジュールを使用するＬＥＤランプを例としており、緊急警報信号を受信する受信ユニット１１６を設け、前記受信ユニット１１６によって緊急警報信号を受信した場合のＬＥＤ１０２の発光パターンを設けた内容が先の実施例と異なる。
【００４８】
そして、本発明の第７の実施例によれば、前記第１の実施例と同じく外部音響機器３００から信号を受信して透光性カバー１０３から音を出力することを可能とし、受信ユニット１１６によって緊急警報信号を受信したならば、前記緊急警報信号の内容を優先的に出力するとともに、使用者に緊急性を視覚的に促すよう、例えばＬＥＤ１０２を赤色で点滅することが可能となる。
【００４９】
以上、本発明の実施例では、一般的な照明機能に加え、音の出力が可能なスピーカーの機能を兼用するＬＥＤランプについて説明した。しかし、本発明は前述の製品に限定するものではなく、例えば、直管状の照明具や円環状の照明具など、種々の照明具において適用可能である。また、透光性カバーから出力される音に応じて光源の発光色を変更させる手段や構成部材の材質、および口金の外れ防止手段等についても、本発明の主旨の範囲内で適宜選定すれば良い。
【符号の説明】
【００５０】
１００  ＬＥＤランプ
１０１  本体
１０２  発光モジュール
１０３  透光性カバー
１０４  ボス
１０５  電源接続部（口金）
１０６  凸部
１０７  電源ユニット
１０８  無線通信ユニット
１０９  信号増幅ユニット
１１０  制御ユニット
１１１  音信号出力ユニット（振動スピーカー）
１１２  外れ防止手段（弾性部材）
１１３  開口部
１１４  コネクタ
１１５  記憶媒体装着部
１１６  受信ユニット
１１７  防振部材
１１８  照光部
１１９  音出力部材
１２０  弾性部材
１２１  間隙
２００  ソケット
２０１  凹部
３００  外部音響機器
４００  シーリングランプ
４０１  本体
４０２  発光モジュール
４０３  透光性カバー
４０４  ボス
４０５  電源接続部
４０６  音出力部材
４０７  防振部材
４０８  照光部
５００  天井側接続部
【図１】
2013222566.tif 000003
【図２】
2013222566.tif 000004
【図３】
2013222566.tif 000005
【図４】
2013222566.tif 000006
【図５】
2013222566.tif 000007
【図６】
2013222566.tif 000008
【図７】
2013222566.tif 000009
【図８】
2013222566.tif 000010
【図９】
2013222566.tif 000011
【図１０】
2013222566.tif 000012
【図１１】
2013222566.tif 000013
【図１２】
2013222566.tif 000014